(57)【特許請求の範囲】
【請求項１】
商品を収容する多面体の箱体の少なくとも一面を構成するとともに基端部を支点に揺動開閉自在で前記一面の位置に形成された商品出し入れ口を封止する開閉蓋と該開閉蓋に対する側方に位置して多面体の一部を構成する蓋側方部材の開閉蓋側縁部で相互に折り曲げ線を介して連結して商品の食み出しを阻止するサイドフラップと前記開閉蓋の先端縁部で相互に折り曲げ線を介して連結して箱体内に差し込まれ開閉蓋を保持する差込み片とを備え、前記差込み片の連結基端部を折り曲げ線に沿って一部切り込んだスリット内に前記サイドフラップの一部であるスリット係止片を係止させて開閉蓋を閉じた状態を保持するスリットロック型係止構造を形成する包装箱において、
前記開閉蓋でのサイドフラップと対向するフラップ対向縁部から先端縁部まで延設した切り取り誘導線に沿って切り取り自在な開閉蓋の一部が、前記切り取り誘導線に沿って人手に切り取られながら把持されて開閉蓋から起立してスリットロック型係止構造による係止を解除自在なスリットロック解除把持片を形成し、
前記スリットが、前記差込み片と開閉蓋との境界となる折り曲げ線の起点から差込み片側に向けて切り込んだ後に差込み片の側端側に向けて切り込んだＬ字型切り込みと、前記差込み片の開閉蓋に対する折り曲げ状態とにより形成され、
前記開閉蓋に対する差込み片の折り曲げ状態でＬ字型切り込みによって差込み片との境界の折り曲げ線より前方へ突出する開閉蓋の一部が、スリットロック解除把持片の起立時に前記スリット内のサイドフラップと当接してスリットロック型係止構造による係止を解除自在なロック解除突片を形成し、
前記人手による上方、かつ、前方へ向かった引っ張り力によって、前記スリットロック解除把持片が、前記起立し、前記人手による前方へ向かった引っ張り力によって、前記差込み片も前方へ引っ張られ、前記差込み片における左右方向でスリットロック解除把持片が形成された側の前記スリットが、前記サイドフラップのスリット係止片に対して前方へ移動し、相対的に視て前記スリット係止片が、前記スリットから抜かれることを特徴とする包装箱。
【請求項２】
前記Ｌ字型切り込みが、前記差込み片と開閉蓋との境界となる折り曲げ線の起点から差込み片側に向けてサイドフラップの少なくとも厚み分を切り込んだ後に差込み片の側端側に向けて切り込んで形成されていることを特徴とする請求項１に記載の包装箱。
【請求項３】
前記切り取り誘導線が、前記開閉蓋のフラップ対向縁部および先端縁部と直交する円弧状に形成されていることを特徴とする請求項１または請求項２に記載の包装箱。
【請求項４】
前記切り取り誘導線が、前記開閉蓋の先端縁部とフラップ対向縁部との交差点を中心とした正円の円弧状に形成されていることを特徴とする請求項３に記載の包装箱。
【請求項５】
前記多面体のいずれか一面に開口窓が形成されていることを特徴とする請求項１乃至請求項４のいずれか１つに記載の包装箱。
【請求項６】
前記スリットロック解除把持片およびサイドフラップの少なくとも一方が、他方と対向する面に互いに引き剥がして再貼り合わせ自在な接着剤を塗布した仮留めのり部を有していることを特徴とする請求項１乃至請求項５のいずれか１つに記載の包装箱。
【発明の詳細な説明】
【技術分野】
【０００１】
本発明は、差込み片の連結基端部を折り曲げ線に沿って一部切り込んだスリット内にサイドフラップの一部を係止させて開閉蓋を閉じた状態を保持するスリットロック型係止構造を形成する包装箱に関するものであって、特に、化粧品類、薬品類、食品類、玩具類などの商品自体または商品を収容して店頭などの売り場で陳列される綺麗な化粧箱を売り場まで移送する際に傷や衝撃から守るために商品自体または商品を収容した化粧箱を包装する包装箱に関するものである。
【背景技術】
【０００２】
従来、包装箱として、差込み片と重なる箱体の前面上端に形成された円弧状の切り欠き部と、箱体におけるこの切り欠き部と対面する箇所に円弧状の切り込みで囲まれ指掛け孔を形成可能な押し込み片とを備え、指掛け孔に指を引っ掛けて蓋部を持ち上げることにより、蓋部を開封する包装ケースが知られている（例えば、特許文献１）。
【０００３】
また、包装箱として、蓋板と差込み片との境界両端に設けられた切れ目（スリット）と、サイドフラップとを備え、切れ目（スリット）にサイドフラップを引っ掛ける所謂、スリットロック構造を有した物品収納用箱が知られている（例えば、特許文献２、３）。
【０００４】
さらに、包装箱として、天面部フラップ片と天面部差込みフラップ片との間の横方向折り曲げ線の両端部に形成されロック機構を構成するロック用切り込みと、天面部内フラップ片の基端部に形成されロック機構を構成するロック用突片と、天面部フラップ片の中央部分に形成され切断誘導線を破断する際の操作開始部となるつば部とを備えた封緘箱が知られている（例えば、特許文献４）。
【０００５】
そして、天面部フラップ片が筒状本体の開口部を閉塞した状態では、ロック用突片がロック用切り込みに入り込むことにより天面部差込みフラップ片が係止され、天面部フラップ片による開口部の閉塞姿勢が保持される。
また、切断誘導線を破断させることにより開封して収容物を取り出せるようになっている。
【０００６】
さらに、包装箱として、差込み片の両端基部を蓋片（サイドフラップ）の前縁部に係合させて蓋板の閉じた状態をロックする紙箱が知られている（例えば、特許文献５）。
そして、蓋板の前部に折り目や切れ目を形成した押し込み部を人手で押し込んで没入させて、その凹みに指を入れて蓋板を引き上げてロックを外して開封するようになっている。
【先行技術文献】
【特許文献】
【０００７】
【特許文献１】特開２００７−２５３９６６号公報（特に、図１乃至図３参照）
【特許文献２】特開２００１−３０１７４１号公報（特に、図１参照）
【特許文献３】特開２００７−２０９５９８号公報（特に、図１および図２参照）
【特許文献４】特開２０１３−１４２４号公報（特に、図１乃至図３参照）
【特許文献５】特開２００２−１９７６６号公報（特に、図１乃至図１０参照）
【特許文献６】特開平１０−７７０２９号公報（特に、図２乃至図４参照）
【発明の概要】
【発明が解決しようとする課題】
【０００８】
しかしながら、上述した特許文献１に記載された従来の包装ケースは、押し込み片が箱体の内側へ押し込まれて指掛け孔が形成される構造であったため、化粧箱などで箱体内が隙間なく充填されている場合、そもそも、押し込み片を内側に押し込んで指掛け孔を形成することができず、蓋部を開封することができないという問題があった。
【０００９】
また、上述した特許文献２および特許文献３に記載された従来の物品収納用箱は、蓋板を開放するとき、正面板と差込み片との間に指先を入れて差込み片を撓ませることで切れ目（スリット）におけるサイドフラップの係止を解除する構造であるため、化粧箱などで箱体内が隙間なく充填されている場合、正面板と差込み片との間に指先を入れて差込み片を撓ませることができず、蓋板を開放して化粧箱などを物品収納用箱から取り出すことが困難であるという問題があった。
【００１０】
さらに、上述した特許文献４に記載された従来の封緘箱は、つば部から破断を開始し天面部フラップ片の一部を、ロック機構のロックを解除せずに、開放する構造であったため、化粧箱などで箱体内が隙間なく充填されている場合、化粧箱などが天面部フラップ片の残りの部分で引っ掛かり化粧箱などを封緘箱から取り出すことが困難であるという問題があった。
【００１１】
また、上述した特許文献５に記載された従来の紙箱は、蓋板を開放するとき、押し込み部を人手で押し込んで没入させる構造であるため、化粧箱などで箱体内が隙間なく充填されている場合、そもそも、押し込み部を人手で押し込むことができず、蓋板を開放して化粧箱などを物品収納用箱から取り出すことが困難であるという問題があった。
【００１２】
なお、包装箱として、上蓋の一方の側縁から背面側にかけて、ミシン線、切り取り線等の切り離し線で吊下げ穴を有する吊下げ片を備えた吊下げ用包装箱が知られている（例えば、特許文献６）が、切り離し線は、単に、上蓋の一部を吊下げ片として形成するためのものであり、上蓋の開封とは関係がない。
【００１３】
そこで、本発明は、前述したような従来技術の問題を解決するものであって、すなわち、本発明の目的は、商品が箱体内に隙間なく充填されている場合であっても、開閉蓋の差込み片のスリットが蓋側方部材の開閉蓋側縁部に連結して形成されたサイドフラップに係止したスリットロックを簡便かつ確実に解除自在な包装箱を提供することである。
【課題を解決するための手段】
【００１４】
本請求項１に係る発明は、商品を収容する多面体の箱体の少なくとも一面を構成するとともに基端部を支点に揺動開閉自在で前記一面の位置に形成された商品出し入れ口を封止する開閉蓋と該開閉蓋に対する側方に位置して多面体の一部を構成する蓋側方部材の開閉蓋側縁部で相互に折り曲げ線を介して連結して商品の食み出しを阻止するサイドフラップと前記開閉蓋の先端縁部で相互に折り曲げ線を介して連結して箱体内に差し込まれ開閉蓋を保持する差込み片とを備え、前記差込み片の連結基端部を折り曲げ線に沿って一部切り込んだスリット内に前記サイドフラップの一部であるスリット係止片を係止させて開閉蓋を閉じた状態を保持するスリットロック型係止構造を形成する包装箱において、前記開閉蓋でのサイドフラップと対向するフラップ対向縁部から先端縁部まで延設した切り取り誘導線に沿って切り取り自在な開閉蓋の一部が、前記切り取り誘導線に沿って人手に切り取られながら把持されて開閉蓋から起立してスリットロック型係止構造による係止を解除自在なスリットロック解除把持片を形成し、前記スリットが、前記差込み片と開閉蓋との境界となる折り曲げ線の起点から差込み片側に向けて切り込んだ後に差込み片の側端側に向けて切り込んだＬ字型切り込みと、前記差込み片の開閉蓋に対する折り曲げ状態とにより形成され、前記開閉蓋に対する差込み片の折り曲げ状態でＬ字型切り込みによって差込み片との境界の折り曲げ線より前方へ突出する開閉蓋の一部が、スリットロック解除把持片の起立時に前記スリット内のサイドフラップと当接してスリットロック型係止構造による係止を解除自在なロック解除突片を形成し、前記人手による上方、かつ、前方へ向かった引っ張り力によって、前記スリットロック解除把持片が、前記起立し、前記人手による前方へ向かった引っ張り力によって、前記差込み片も前方へ引っ張られ、前記差込み片における左右方向でスリットロック解除把持片が形成された側の前記スリットが、前記サイドフラップのスリット係止片に対して前方へ移動し、相対的に視て前記スリット係止片が、前記スリットから抜かれることにより、前述した課題を解決するものである。
【００１５】
本請求項２に係る発明は、請求項１に記載された包装箱の構成に加えて、前記Ｌ字型切り込みが、前記差込み片と開閉蓋との境界となる折り曲げ線の起点から差込み片側に向けてサイドフラップの少なくとも厚み分を切り込んだ後に差込み片の側端側に向けて切り込んで形成されていることにより、前述した課題をさらに解決するものである。
【００１６】
本請求項３に係る発明は、請求項１または請求項２に記載された包装箱の構成に加えて、前記切り取り誘導線が、前記開閉蓋のフラップ対向縁部および先端縁部と直交する円弧状に形成されていることにより、前述した課題をさらに解決するものである。
【００１７】
本請求項４に係る発明は、請求項３に記載された包装箱の構成に加えて、前記切り取り誘導線が、前記開閉蓋の先端縁部とフラップ対向縁部との交差点を中心とした正円の円弧状に形成されていることにより、前述した課題をさらに解決するものである。
【００１８】
本請求項５に係る発明は、請求項１乃至請求項４のいずれか１つに記載された包装箱の構成に加えて、前記多面体のいずれか一面に開口窓が形成されていることにより、前述した課題をさらに解決するものである。
【００１９】
本請求項６に係る発明は、請求項１乃至請求項５のいずれか１つに記載された包装箱の構成に加えて、前記スリットロック解除把持片およびサイドフラップの少なくとも一方が、他方と対向する面に互いに引き剥がして再貼り合わせ自在な接着剤を塗布した仮留めのり部を有していることにより、前述した課題をさらに解決するものである。
【発明の効果】
【００２０】
本発明の包装箱は、商品を収容する多面体の箱体の少なくとも一面を構成するとともに基端部を支点に揺動開閉自在で一面の位置に形成された商品出し入れ口を封止する開閉蓋とこの開閉蓋に対する側方に位置して多面体の一部を構成する蓋側方部材の開閉蓋側縁部で相互に折り曲げ線を介して連結して商品の食み出しを阻止するサイドフラップと開閉蓋の先端縁部で相互に折り曲げ線を介して連結して箱体内に差し込まれ開閉蓋を保持する差込み片とを備え、差込み片の連結基端部を折り曲げ線に沿って一部切り込んだスリット内にサイドフラップの一部であるスリット係止片を係止させて開閉蓋を閉じた状態を保持するスリットロック型係止構造を形成していることにより、開閉蓋が勝手に開いてしまうことを防止することができるばかりでなく、以下のような特有の効果を奏することができる。
【００２１】
本請求項１に係る発明の包装箱によれば、開閉蓋でのサイドフラップと対向するフラップ対向縁部から先端縁部まで延設した切り取り誘導線に沿って切り取り自在な開閉蓋の一部が、切り取り誘導線に沿って人手に切り取られながら把持されて開閉蓋に対して起立してスリットロック型係止構造による係止を解除自在なスリットロック解除把持片を形成していることにより、開閉蓋を開ける際に人手による開閉蓋のフラップ対向縁部から開閉蓋の開く方向を上方とした場合の上方、かつ、前方へ向かった引っ張り力で切り取り誘導線に沿って切り取られてスリットロック解除把持片が起立するとともに、引っ張り力でスリットロック解除把持片が上方、かつ、前方へ引っ張られることによって差込み片も上方、かつ、前方へ引っ張られて差込み片における左右方向でスリットロック解除把持片が形成された側のスリットがサイドフラップから前方へ移動し相対的に視てサイドフラップがスリットから抜かれてスリットが上方へ移動するため、箱体内が隙間なく充填されている場合であっても差込み片における左右方向でスリットロック解除把持片が形成された側のスリットにおける差込み片とサイドフラップとの係止であるスリットロック型係止構造による係止を簡便に解除することができる。
加えて、スリットが、差込み片と開閉蓋との境界となる折り曲げ線の起点から差込み片側に向けて切り込んだ後に差込み片の側端側に向けて切り込んだＬ字型切り込みと差込み片の開閉蓋に対する折り曲げ状態とにより形成され、開閉蓋に対する差込み片の折り曲げ状態でＬ字型切り込みによって差込み片との境界の折り曲げ線より前方へ突出する開閉蓋の一部が、スリットロック解除把持片の起立時にスリット内のサイドフラップと当接してスリットロック型係止構造による係止を解除自在なロック解除突片を形成していることにより、スリットロック解除把持片を起立させた際に折り曲げ線を中心にロック解除突片が揺動してスリット内のサイドフラップがスリット内から相対的に押し出されるため、差込み片における左右方向でスリットロック解除把持片が形成された側のスリットにおける差込み片とサイドフラップとの係止であるスリットロック型係止構造による係止を確実に解除することができる。
【００２２】
本請求項２に係る発明の包装箱によれば、請求項１に係る発明が奏する効果に加えて、スリットが、差込み片と開閉蓋との境界となる折り曲げ線の起点から差込み片側に向けてサイドフラップの少なくとも厚み分を切り込んだ後に差込み片の側端側に向けて切り込んだＬ字型切り込みと差込み片の開閉蓋に対する折り曲げ状態とにより形成されていることにより、スリット内にサイドフラップの一部であるスリット係止片を確実に係止させて開閉蓋を閉じた状態を保持しつつ、スリットロック解除把持片の起立時には、ロック解除突片が、スリット係止片に当接して係止を解除するため、スリットロック型係止構造による係止を確実に解除することができる。
【００２３】
本請求項３に係る発明の包装箱によれば、請求項１または請求項２に係る発明が奏する効果に加えて、切り取り誘導線が、開閉蓋のフラップ対向縁部および先端縁部と直交する円弧状に形成されていることにより、人手によって開閉蓋のフラップ対向縁部から開閉蓋の一部を起立させる際に、切り取り誘導線に作用する応力の方向が開閉蓋のフラップ対向縁部と直交する方向から先端縁部と直交する方向に向かって徐々に変化するとともにこの応力の作用する点が切り取り誘導線の一箇所に留まって集中することも無く開閉蓋のフラップ対向縁部から先端縁部に向かって順次移動し、応力の作用する軌跡が円弧状となるため、切り取り誘導線に沿ってスムーズに切り取りながらスリットロック解除把持片を形成することができる。
【００２４】
本請求項４に係る発明の包装箱によれば、請求項３に係る発明が奏する効果に加えて、切り取り誘導線が、開閉蓋の先端縁部とフラップ対向縁部との交差点を中心とした正円の円弧状に形成されていることにより、人手によって開閉蓋のフラップ対向縁部から開閉蓋の一部を起立させる際に、切り取り誘導線に作用する応力の大きさが正円の半径に対応して略均一になるとともに人手の負荷の大きさが略均一になるため、切り取り誘導線に沿ってより一層スムーズに切り取りながらスリットロック解除把持片を形成することができる。
【００２５】
本請求項５に係る発明の包装箱によれば、請求項１乃至請求項４のいずれか１つに係る発明が奏する効果に加えて、多面体のいずれか一面に開口窓が形成されていることにより、包装箱に収容された商品が外部から開口窓を介して視認可能となるため、ユーザーが商品を確認することができる。
また、包装箱に収容された商品に記載された商品情報のバーコードが外部から開口窓を介して読み取り可能となるため、検品者などが商品を検品することができる。
【００２６】
本請求項６に係る発明の包装箱によれば、請求項１乃至請求項５のいずれか１つに係る発明が奏する効果に加えて、スリットロック解除把持片およびサイドフラップの少なくとも一方が、他方と対向する面に互いに引き剥がして再貼り合わせ自在な接着剤を塗布した仮留めのり部を有していることにより、スリットロック解除把持片が開閉蓋と同一面の姿勢で仮留めされるため、包装箱を一度開封した後であってもスリットロック解除把持片の姿勢を元の開閉蓋と同一面の姿勢に戻してスリットロックして包装箱を使用し続け、必要に応じて再度スリットロックを解除することができる。
【図面の簡単な説明】
【００２７】
【図１】本発明の第１実施例である包装箱の概略を示す前方斜視図。
【図２】本発明の第１実施例である包装箱の展開図。
【図３】（Ａ）（Ｂ）は本発明のスリットロック解除把持片の動作を示す前方斜視図および後方向斜視図。
【図４】（Ａ）（Ｂ）は本発明のスリットロック解除把持片の動作を示す前方斜視図および後方向斜視図。
【図５】（Ａ）（Ｂ）は本発明のスリットロック解除把持片の動作を示す前方斜視図および後方向斜視図。
【図６】（Ａ）（Ｂ）は本発明のスリットロック解除把持片の動作を示す前方斜視図および後方向斜視図。
【図７】（Ａ）（Ｂ）は本発明のスリットロック解除把持片の動作を示す前方斜視図および後方向斜視図。
【図８】本発明の包装箱の開閉蓋が開いた状態を示す前方斜視図。
【図９】（Ａ）は図１の符号９Ａ−９Ａで視た側断面図、（Ｂ）は図３（Ａ）の符号９Ｂ−９Ｂで視た側断面図、（Ｃ）は図５（Ａ）の符号９Ｃ−９Ｃで視た側断面図。
【図１０】本発明の第２実施例である包装箱の概略を示す斜視図。
【図１１】本発明の第２実施例である包装箱の展開図。
【図１２】本発明の第３実施例である包装箱の概略を示す斜視図。
【図１３】本発明の第３実施例である包装箱の展開図。
【図１４】本発明の第４実施例である包装箱の概略を示す斜視図。
【図１５】本発明の第４実施例である包装箱の展開図。
【発明を実施するための形態】
【００２８】
本発明は、商品を収容する多面体の箱体の少なくとも一面を構成するとともに基端部を支点に揺動開閉自在で一面の位置に形成された商品出し入れ口を封止する開閉蓋とこの開閉蓋に対する側方に位置して多面体の一部を構成する蓋側方部材の開閉蓋側縁部で相互に折り曲げ線を介して連結して商品の食み出しを阻止するサイドフラップと開閉蓋の先端縁部で相互に折り曲げ線を介して連結して箱体内に差し込まれ開閉蓋を保持する差込み片とを備え、差込み片の連結基端部を折り曲げ線に沿って一部切り込んだスリット内にサイドフラップの一部であるスリット係止片を係止させて開閉蓋を閉じた状態を保持するスリットロック型係止構造を形成する包装箱において、開閉蓋でのサイドフラップと対向するフラップ対向縁部から先端縁部まで延設した切り取り誘導線に沿って切り取り自在な開閉蓋の一部が、切り取り誘導線に沿って人手に切り取られながら把持されて開閉蓋に対して起立してスリットロック型係止構造による係止を解除自在なスリットロック解除把持片を形成し、スリットが、差込み片と開閉蓋との境界となる折り曲げ線の起点から差込み片側に向けて切り込んだ後に差込み片の側端側に向けて切り込んだＬ字型切り込みと、差込み片の開閉蓋に対する折り曲げ状態とにより形成され、開閉蓋に対する差込み片の折り曲げ状態でＬ字型切り込みによって差込み片との境界の折り曲げ線より前方へ突出する開閉蓋の一部が、スリットロック解除把持片の起立時にスリット内のサイドフラップと当接してスリットロック型係止構造による係止を解除自在なロック解除突片を形成し、人手による上方、かつ、前方へ向かった引っ張り力によって、スリットロック解除把持片が、起立し、人手による前方へ向かった引っ張り力によって、差込み片も前方へ引っ張られ、差込み片における左右方向でスリットロック解除把持片が形成された側のスリットが、サイドフラップのスリット係止片に対して前方へ移動し、相対的に視てスリット係止片が、スリットから抜かれ、箱体内が隙間なく充填されている場合であっても差込み片における左右方向でスリットロック解除把持片が形成された側のスリットにおける差込み片とサイドフラップとの係止であるスリットロック型係止構造による係止を簡便かつ確実に解除するものであれば、その具体的な実施態様は、如何なるものであっても構わない。
【００２９】
例えば、包装箱は、開閉蓋の先端側に連結した差込み片のスリット内にサイドフラップの一部が係止するスリットロック型係止構造を有し、多面体の少なくとも一面が開閉蓋を構成すれば、デルタ多面体やプラトン立体、アルキメデス立体などの多面体でもよく、多面体を構成するそれぞれの面の形状や大きさは一種類でも複数種類でもよい。
開閉蓋は、複数あってもよく、また、多面体の１つの面によって１つの開閉蓋が構成されていてもよいし、多面体の隣接する複数の面によって１つの開閉蓋が構成されていてもよい。
一部切り込んだスリットには、単に切り込んで形成したスリットだけでなく、切り込んで切り欠きのように幅を持たせたスリットも含まれるものとする。
また、包装箱の材料は、多面体を形成するに足りる可撓性を有していれば、コート紙、ボール紙、コートボール紙、段ボールなどの紙でもよく、プラスチックなどの樹脂でもよい。
【００３０】
さらに、切り取り誘導線の形状は、開閉蓋のフラップ対向縁部から先端縁部まで延設していれば、円弧状の曲線でもよく、直線でもよい。
また、切り取り誘導線の形態は、所望の線に沿って所定間隔で切断されて切り取り容易な所謂、ミシン目や切り取り線でもよく、所望の線の肉厚を他の箇所より薄くして所望の線に沿って切り取り容易にしたものでもよい。
【実施例１】
【００３１】
以下に、本発明の第１実施例である包装箱１００について、図１乃至図９に基づいて説明する。
ここで、図１は、本発明の第１実施例である包装箱１００の概略を示す前方斜視図であり、図２は、本発明の第１実施例である包装箱１００の展開図であり、図３（Ａ）、図４（Ａ）、図５（Ａ）、図６（Ａ）、図７（Ａ）は、本発明のスリットロック解除把持片１１１ｅの動作を示す前方斜視図であり、図３（Ｂ）、図４（Ｂ）、図５（Ｂ）、図６（Ｂ）、図７（Ｂ）は、それぞれ図３（Ａ）、図４（Ａ）、図５（Ａ）、図６（Ａ）、図７（Ａ）に対応する後方向斜視図であり、図８は、本発明の包装箱１００の開閉蓋１１１が開いた状態を示す前方斜視図であり、図９（Ａ）は、図１の符号９Ａ−９Ａで視た側断面図であり、図９（Ｂ）は、図３（Ａ）の符号９Ｂ−９Ｂで視た側断面図であり、図９（Ｃ）は、図５（Ａ）の符号９Ｃ−９Ｃで視た側断面図である。
【００３２】
本発明の第１実施例である包装箱１００は、図１および図２に示すように、厚みのあるコートボール紙製であり、開閉蓋１１１を有して商品の一例である化粧箱（図示せず）を収容する多面体の一例である逆四角錐（五面体）の箱体１１０と、開閉蓋１１１を保持する差込み片１２０と、サイドフラップとしての左サイドフラップ１３０および右サイドフラップ１４０とを備えている。
【００３３】
開閉蓋１１１は、逆四角錐の箱体１１０の一面を構成するとともに基端部１１１ａで折り曲げ線である開閉基端部折罫線ＢＬ１を支点に揺動開閉自在で一面の位置に形成された商品出し入れ口ＥＥ（図８参照）を封止するように設けられている。
差込み片１２０は、開閉蓋１１１の先端縁部１１１ｃで相互に折り曲げ線である開閉先端縁部折罫線ＢＬ２を介して連結して箱体１１０内に差し込まれ開閉蓋１１１を保持するように設けられている。
【００３４】
左サイドフラップ１３０は、開閉蓋１１１に対する側方に位置して逆四角錐の一部を構成する蓋側方部材としての左側壁板部材１１３の開閉蓋側縁部で相互に折り曲げ線である左側壁上端部折罫線ＢＬ３を介して連結して商品の食み出しを阻止するように構成されている。
右サイドフラップ１４０は、左サイドフラップ１３０と同様に、開閉蓋１１１に対する側方に位置して逆四角錐の一部を構成する蓋側方部材としての右側壁板部材１１５の開閉蓋側縁部で相互に折り曲げ線である右側壁上端部折罫線ＢＬ４を介して連結して商品の食み出しを阻止するように構成されている。
【００３５】
本実施例の説明では、包装箱１００の向きについて、説明の便宜上、開閉蓋１１１を上方とし、開閉蓋１１１の自由端である先端縁部１１１ｃが前側、基端部１１１ａが後側として説明する。
また、「左」、「右」は、組み立てられた包装箱１００を基準とした「左」、「右」、すなわち、包装箱１００の後壁板部材１１２から前壁板部材１１４へ向かって視たときの「左」、「右」である。
【００３６】
逆四角錐の箱体１１０は、図２に示すように、開閉蓋１１１と、後壁板部材１１２と、蓋側方部材としての左側壁板部材１１３と、前壁板部材１１４と、蓋側方部材としての右側壁板部材１１５と、右サイド後のりしろ１１６とで構成されている。
後壁板部材１１２は、開閉蓋１１１の基端部１１１ａで折り曲げ線である開閉基端部折罫線ＢＬ１を介して連結されている。
左側壁板部材１１３は、後壁板部材１１２の左端部で折り曲げ線である後壁左端部折罫線ＢＬ５を介して連結されている。
【００３７】
前壁板部材１１４は、左側壁板部材１１３の前端部で折り曲げ線である左側壁前端部折罫線ＢＬ６を介して連結されている。
右側壁板部材１１５は、前壁板部材１１４の右端部で折り曲げ線である前壁右端部折罫線ＢＬ７を介して連結されている。
右サイド後のりしろ１１６は、右側壁板部材１１５の後端部で折り曲げ線である右側壁後端部折罫線ＢＬ８を介して連結されている。
【００３８】
そして、包装箱１００が組み立てられる際、例えば、後壁板部材１１２および左側壁板部材１１３が、後壁左端部折罫線ＢＬ５で相互に９０度となるように折り曲げられ、左側壁板部材１１３および前壁板部材１１４が、左側壁前端部折罫線ＢＬ６で相互に９０度となるように折り曲げられる。
同様に、前壁板部材１１４および右側壁板部材１１５が、前壁右端部折罫線ＢＬ７で相互に９０度となるように折り曲げられ、右側壁板部材１１５および右サイド後のりしろ１１６が、右側壁後端部折罫線ＢＬ８で相互に９０度となるように折り曲げられる。
【００３９】
そして、右サイド後のりしろ１１６が、後壁板部材１１２の右端部の内側面に一例として接着剤で接着され、箱体１１０の逆四角錐の側面が形成される。
また、左サイドフラップ１３０が、左側壁上端部折罫線ＢＬ３で内側である右側に折り曲げられ、同様に、右サイドフラップ１４０が、右側壁上端部折罫線ＢＬ４で内側である左側に折り曲げられる。
開閉蓋１１１が、開閉基端部折罫線ＢＬ１で内側である前側に折り曲げられ、差込み片１２０が、開閉先端縁部折罫線ＢＬ２で内側である下側に折り曲げられる。
【００４０】
包装箱１００は、差込み片１２０の連結基端部を開閉先端縁部折罫線ＢＬ２に沿って一部切り込んだスリット内にサイドフラップの一部を係止させて開閉蓋１１１を閉じた状態を保持するスリットロック型係止構造ＬＫを形成している。
具体的には、差込み片１２０の開閉先端縁部折罫線ＢＬ２の近傍に左側Ｌ字型切り込みＣＴ１および右側Ｌ字型切り込みＣＴ２があり、差込み片１２０を開閉先端縁部折罫線ＢＬ２で開閉蓋１１１に対して折り曲げることにより、差込み片１２０と開閉蓋１１１との隙間である左側スリットＳＬ１および右側スリットＳＬ２が形成されている。
なお、本実施例では、包装箱１００の材料の厚みが比較的厚いため、Ｌ字型切り込み（ＣＴ１、ＣＴ２）でスリット（ＳＬ１、ＳＬ２）を形成したが、包装箱１００の材料の厚みが比較的薄い場合は、単に直線状切り込み、すなわち、Ｉ字型切り込みでスリットを形成してもよいのは勿論である。
【００４１】
そして、左サイドフラップ１３０の前端部に形成された左スリット係止片１３１が、左側スリットＳＬ１に入り込み、左側スリットＳＬ１において差込み片１２０が左スリット係止片１３１によって係止される。
同様に、右サイドフラップ１４０の前端部に形成された右スリット係止片１４１が、右側スリットＳＬ２に入り込み、右側スリットＳＬ２において差込み片１２０が右スリット係止片１４１によって係止される。
【００４２】
本実施例では、開閉蓋１１１でのサイドフラップと対向するフラップ対向縁部である右側フラップ対向縁部１１１ｂから先端縁部１１１ｃまで一例としてミシン目である切り取り誘導線１１１ｄが延設されている。
そして、切り取り誘導線１１１ｄに沿って切り取り自在な開閉蓋１１１の一部が、切り取り誘導線１１１ｄに沿って人手に切り取られながら把持されて開閉蓋１１１に対して起立してスリットロック型係止構造ＬＫによる係止を解除自在なスリットロック解除把持片１１１ｅを形成している。
【００４３】
以下、スリットロック解除把持片１１１ｅの動作および作用について説明する。
図３（Ａ）および図３（Ｂ）に示すように、図１に示す状態から開閉蓋１１１を開ける際に人手による開閉蓋１１１の右側フラップ対向縁部１１１ｂから上方、かつ、前方へ向かった引っ張り力で切り取り誘導線１１１ｄに沿って切り取られ、開閉蓋１１１の一部によってスリットロック解除把持片１１１ｅが形成される。
このとき、スリットロック解除把持片１１１ｅは、残りの部分である開閉蓋１１１に対して少し起き上がった姿勢になる。
【００４４】
ここで、本実施例では、切り取り誘導線１１１ｄが、開閉蓋１１１の右側フラップ対向縁部１１１ｂおよび先端縁部１１１ｃと直交する円弧状に形成されている。
これにより、人手によって開閉蓋１１１の右側フラップ対向縁部１１１ｂから開閉蓋１１１の一部を起立させる際に、切り取り誘導線１１１ｄに作用する応力の方向が、開閉蓋１１１の右側フラップ対向縁部１１１ｂと直交する方向から先端縁部１１１ｃと直交する方向に向かって徐々に変化する。
さらに、この応力の作用する点が、切り取り誘導線１１１ｄの一箇所に留まって集中することも無く開閉蓋１１１の右側フラップ対向縁部１１１ｂから先端縁部１１１ｃに向かって順次移動し、応力の作用する軌跡が円弧状となる。
つまり、切り取り誘導線１１１ｄに沿った切り取りが、スムーズになる。
【００４５】
また、切り取り誘導線１１１ｄが、開閉蓋１１１の先端縁部１１１ｃと右側フラップ対向縁部１１１ｂとの交差点ＣＰを中心とした正円の円弧状に形成されている。
これにより、人手によって開閉蓋１１１の右側フラップ対向縁部１１１ｂから開閉蓋１１１の一部を起立させる際に、切り取り誘導線１１１ｄに作用する応力の大きさが正円の半径に対応して略均一になるとともに、人手の負荷の大きさが略均一になる。
つまり、切り取り誘導線１１１ｄに沿った切り取りが、より一層スムーズになる。
【００４６】
図４（Ａ）および図４（Ｂ）に示すように、図３（Ａ）および図３（Ｂ）に示す状態から人手による上方、かつ、前方へ向かった引っ張り力によって、スリットロック解除把持片１１１ｅが、起立する。
図５（Ａ）および図５（Ｂ）に示すように、図４（Ａ）および図４（Ｂ）に示す状態から人手による前方へ向かった引っ張り力によって、差込み片１２０も前方へ引っ張られる。
すると、差込み片１２０における左右方向でスリットロック解除把持片１１１ｅが形成された側のスリットである右側スリットＳＬ２が、右サイドフラップ１４０の右スリット係止片１４１に対して前方へ移動し、相対的に視て右スリット係止片１４１が右側スリットＳＬ２から抜かれる。
【００４７】
すなわち、右側スリットＳＬ２における差込み片１２０と右スリット係止片１４１との係止が解除される。
なお、包装箱１００は、可撓性を有しているので、人手による前方へ向かった引っ張り力によって、前壁板部材１１４が多少なりとも撓み、右側スリットＳＬ２が前方へ移動する。
【００４８】
図６（Ａ）および図６（Ｂ）に示すように、図５（Ａ）および図５（Ｂ）に示す状態から人手による上方、かつ、前方へ向かった引っ張り力によって、スリットロック解除把持片１１１ｅが上方、かつ、前方へ引っ張られる。
すると、差込み片１２０も上方、かつ、前方へ引っ張られて、相対的に視て右スリット係止片１４１が右側スリットＳＬ２から抜かれたままの状態で、差込み片１２０も上方へ移動する。
【００４９】
図７（Ａ）および図７（Ｂ）に示すように、図６（Ａ）および図６（Ｂ）に示す状態から人手による上方、かつ、前方へ向かった引っ張り力によって、開閉蓋１１１の左右方向におけるスリットロック解除把持片１１１ｅが設けられた側が先行するように開閉蓋１１１が少し捩れながら開こうとする。
このとき、差込み片１２０が左右方向に対して傾き、他方側の左側スリットＳＬ１における差込み片１２０と左サイドフラップ１３０の左スリット係止片１３１との係止が緩む。
【００５０】
そして、左側スリットＳＬ１が、左サイドフラップ１３０の左スリット係止片１３１に対して傾きながら上方へ移動し、相対的に視て左スリット係止片１３１が左側スリットＳＬ１の左側から抜かれる。
すなわち、左側スリットＳＬ１における差込み片１２０と左スリット係止片１３１との係止が解除される。
【００５１】
続いて、図８に示すように、図７（Ａ）および図７（Ｂ）に示す状態から人手による上方へ向かった引っ張り力によって、差込み片１２０が箱体１１０から抜かれ、開閉蓋１１１が開いた状態になる。
以上、説明したように、人手による引っ張り力の方向が上方、前方であり、引っ張り力の方向を逆向きに返す必要がないため、スムーズにスリットロックを解除して開閉蓋１１１を開けることができる。
そして、カッターなどの道具が不要であり、包装箱１００に収容された化粧箱を取り出すことができる。
【００５２】
さらに、本実施例では、図９（Ａ）〜図９（Ｃ）に示すように、右側スリットＳＬ２が、右側Ｌ字型切り込みＣＴ２（図２参照）と、差込み片１２０の開閉蓋１１１に対する折り曲げ状態とにより形成されている。
右側Ｌ字型切り込みＣＴ２は、差込み片１２０と開閉蓋１１１との境界となる開閉先端縁部折罫線ＢＬ２の起点から差込み片１２０側に向けて右サイドフラップ１４０の少なくとも厚みｄ１分を切り込んだ後に差込み片１２０の側端側に向けて切り込んで形成されている。
【００５３】
また、開閉蓋１１１に対する差込み片１２０の折り曲げ状態で右側Ｌ字型切り込みＣＴ２によって差込み片１２０との境界の開閉先端縁部折罫線ＢＬ２より前方へ突出する開閉蓋１１１の一部が、ロック解除突片１１１ｆを形成する。
ロック解除突片１１１ｆは、スリットロック解除把持片１１１ｅの起立時に右側スリットＳＬ２の内側の右スリット係止片１４１と当接してスリットロック型係止構造ＬＫによる係止を解除自在に構成されている。
【００５４】
以下、ロック解除突片１１１ｆの動作および作用について説明する。
図９（Ａ）に示すように、右スリット係止片１４１が、右サイドフラップ１４０の少なくとも厚みｄ１分程度の右側スリットＳＬ２の内側に入って差込み片１２０を係止している。
また、ロック解除突片１１１ｆが、開閉先端縁部折罫線ＢＬ２より前方へ突出している。
【００５５】
図９（Ｂ）に示すように、図９（Ａ）に示す状態から人手によって切り取り誘導線１１１ｄに沿って開閉蓋１１１の一部であるスリットロック解除把持片１１１ｅが切り取られて把持される。
そして、人手による上方、かつ、前方へ向かった引っ張り力によって、スリットロック解除把持片１１１ｅは、開閉先端縁部折罫線ＢＬ２を中心に上方、かつ、前方へ揺動する。
このとき、開閉先端縁部折罫線ＢＬ２を基準としたスリットロック解除把持片１１１ｅの反対側に設けられたロック解除突片１１１ｆは、右側スリットＳＬ２を塞ぐように下方、かつ、後方へ揺動し、右側スリットＳＬ２の内側にある右スリット係止片１４１と当接する。
【００５６】
そして、ロック解除突片１１１ｆは、右側スリットＳＬ２の内側にある右スリット係止片１４１を相対的に後方へ押し出すように作用する。
このとき、右スリット係止片１４１に対する反力により、開閉先端縁部折罫線ＢＬ２およびその近傍のスリットロック解除把持片１１１ｅ、差込み片１２０、右側スリットＳＬ２が前方へ少し移動するとともに、前壁板部材１１４が前方へ撓む。
【００５７】
図９（Ｃ）に示すように、図９（Ｂ）に示す状態から人手によってスリットロック解除把持片１１１ｅがさらに揺動して起立すると、ロック解除突片１１１ｆは、右側スリットＳＬ２を塞ぐように揺動する。
すると、ロック解除突片１１１ｆが右スリット係止片１４１の前方を押えるようにして、開閉先端縁部折罫線ＢＬ２およびその近傍のスリットロック解除把持片１１１ｅ、差込み片１２０、右側スリットＳＬ２が前方へさらに少し移動するとともに、前壁板部材１１４が前方へさらに撓む。
【００５８】
これに伴い、右側スリットＳＬ２の内側の右スリット係止片１４１が、右側スリットＳＬ２の内側から相対的に押し出され、右側スリットＳＬ２における差込み片１２０と右スリット係止片１４１との係止が解除される。
つまり、ロック解除突片１１１ｆを設けることにより、上述した図４（Ａ）〜図５（Ｂ）辺りのタイミングで、右側スリットＳＬ２における差込み片１２０と右スリット係止片１４１との係止が解除され、開閉蓋１１１をより開けやすくなる。
【００５９】
なお、この係止が完全に解除されるタイミングは、差込み片１２０とスリットロック解除把持片１１１ｅとの相対的な姿勢に依存し、両者が略一直線上の姿勢になったときである。
本実施例では、スリットロック解除把持片１１１ｅを左右方向右側のみに設けたが、左側に設けてもよく、さらに、左右方向両側にそれぞれ設けてもよい。
また、説明の便宜上、開閉蓋１１１を上方する向きで説明したが、開閉蓋１１１の位置は、上方に限らず、下方でもよく、側方でもよい。
さらに、本実施例では、多面体の一つの面を開閉蓋１１１としたが、多面体の複数の面を開閉蓋１１１とし、開閉蓋１１１の数を複数にしてもよい。
【００６０】
また、多面体の箱体１１０のいずれか一面に開口窓が形成されていてもよい。
これにより、包装箱１００に収容された商品が外部から開口窓を介して視認可能となる。
また、開口窓に位置と商品に記載された商品情報のバーコードの位置とを合わせるようにして商品を収容すると、包装箱１００に収容された商品に記載された商品情報のバーコードが外部から開口窓を介して読み取り可能となる。
【００６１】
さらに、スリットロック解除把持片１１１ｅおよび右サイドフラップ１４０の少なくとも一方である右サイドフラップ１４０が、他方と対向する面に互いに引き剥がして再貼り合わせ自在な接着剤を塗布した仮留めのり部１４２を有している。
これにより、スリットロック解除把持片１１１ｅが開閉蓋１１１と同一面の姿勢で仮留めされる。
【００６２】
なお、本実施例では、差込み片１２０が、開閉蓋１１１に対して約１２０度の角度（鋭角）で折り曲げられ、開閉蓋１１１に対して約１２０度の角度（鋭角）の姿勢で配設された前壁板部材１１４の内側面に沿って箱体１１０内に差し込まれている。
開閉蓋１１１と前壁板部材１１４との成す角度が鋭角であると、開閉蓋と前壁板部材との成す角度が直角であるときと比べて、差込み片１２０の先端側が開閉蓋１１１の基端部側に位置してスリット内にサイドフラップのスリット係止片が深く入り込んでいるため、人の手の特に指先を差込み片１２０と前壁板部材１１４との間に入れてスリットロックを解除することは困難である。
したがって、開閉蓋１１１と前壁板部材１１４との成す角度が鋭角であるとき、箱体１１０内が隙間なく充填されていなくても、スリットロック解除把持片１１１ｅを有する構成は有効である。
【００６３】
このようにして得られた本発明の第１実施例である包装箱１００は、開閉蓋１１１での右サイドフラップ１４０と対向する右側フラップ対向縁部１１１ｂから先端縁部１１１ｃまで延設した切り取り誘導線１１１ｄに沿って切り取り自在な開閉蓋１１１の一部が、切り取り誘導線１１１ｄに沿って人手に切り取られながら把持されて開閉蓋１１１に対して起立してスリットロック型係止構造ＬＫによる係止を解除自在なスリットロック解除把持片１１１ｅを形成していることにより、化粧箱などで箱体１１０内が隙間なく充填されている場合であっても差込み片１２０における左右方向でスリットロック解除把持片１１１ｅが形成された側の右側スリットＳＬ２における差込み片１２０と右サイドフラップ１４０との係止であるスリットロック型係止構造ＬＫによる係止を簡便に解除することができる。
【００６４】
また、右側スリットＳＬ２が、差込み片１２０と開閉蓋１１１との境界となる開閉先端縁部折罫線ＢＬ２の起点から差込み片１２０側に向けて右サイドフラップ１４０の少なくとも厚みｄ１分を切り込んだ後に差込み片１２０の側端側に向けて切り込んだ右側Ｌ字型切り込みＣＴ２と、差込み片１２０の開閉蓋１１１に対する折り曲げ状態とにより形成され、開閉蓋１１１に対する差込み片１２０の折り曲げ状態で右側Ｌ字型切り込みＣＴ２によって差込み片１２０との境界の開閉先端縁部折罫線ＢＬ２より前方へ突出する開閉蓋１１１の一部が、スリットロック解除把持片１１１ｅの起立時に右側スリットＳＬ２内の右サイドフラップ１４０と当接してスリットロック型係止構造ＬＫによる係止を解除自在なロック解除突片１１１ｆを形成していることにより、差込み片１２０における左右方向でスリットロック解除把持片１１１ｅが形成された側の右側スリットＳＬ２における差込み片１２０と右サイドフラップ１４０との係止であるスリットロック型係止構造ＬＫによる係止を確実に解除することができる。
【００６５】
さらに、切り取り誘導線１１１ｄが、開閉蓋１１１の右側フラップ対向縁部１１１ｂおよび先端縁部１１１ｃと直交する円弧状に形成されていることにより、切り取り誘導線１１１ｄに沿ってスムーズに切り取りながらスリットロック解除把持片１１１ｅを形成することができる。
【００６６】
また、切り取り誘導線１１１ｄが、開閉蓋１１１の先端縁部１１１ｃと右側フラップ対向縁部１１１ｂとの交差点ＣＰを中心とした正円の円弧状に形成されていることにより、切り取り誘導線１１１ｄに沿ってより一層スムーズに切り取りながらスリットロック解除把持片１１１ｅを形成することができる。
【００６７】
さらに、多面体のいずれか一面に開口窓が形成されていることにより、ユーザーが商品を確認することができ、検品者などが商品を検品することができる。
【００６８】
また、スリットロック解除把持片１１１ｅおよび右サイドフラップ１４０の少なくとも一方である右サイドフラップ１４０が、他方と対向する面に互いに引き剥がして再貼り合わせ自在な接着剤を塗布した仮留めのり部１４２を有していることにより、包装箱１００を一度開封した後であってもスリットロック解除把持片１１１ｅの姿勢を元の開閉蓋１１１と同一面の姿勢に戻してスリットロックして包装箱１００を使用し続け、必要に応じて再度スリットロックを解除することができるなど、その効果は甚大である。
【実施例２】
【００６９】
続いて、本発明の第２実施例である包装箱２００について、図１０および図１１に基づいて説明する。
ここで、図１０は、本発明の第２実施例である包装箱２００の概略を示す斜視図であり、図１１は、本発明の第２実施例である包装箱２００の展開図である。
【００７０】
第２実施例の包装箱２００は、第１実施例の包装箱１００の多面体の面の数および形状を変更して開閉蓋１１１の数も変更したものであり、多くの要素について第１実施例の包装箱１００と共通するので、共通する事項については詳しい説明を省略し、下２桁が共通する２００番台の符号を付すのみとする。
【００７１】
本発明の第２実施例である包装箱２００は、図１０および図１１に示すように、厚みのあるコートボール紙製であり、２つの開閉蓋２１１Ａ、２１１Ｂを有して商品（図示せず）を収容する多面体の一例である所謂、かまぼこ型（八面体）の箱体２１０と、サイドフラップとしての左サイドフラップ２３０Ａ、２３０Ｂおよび右サイドフラップ２４０Ａ、２４０Ｂと、開閉蓋２１１Ａ、２１１Ｂをそれぞれ保持する差込み片２２０Ａ、２２０Ｂとを備えている。
【００７２】
本実施例の説明では、包装箱２００の向きについて、説明の便宜上、一方の開閉蓋２１１Ａを上方とし、この開閉蓋２１１Ａの自由端である先端縁部２１１Ａｃが前側、基端部２１１Ａａが後側として説明する。
なお、他方の開閉蓋２１１Ｂ側の構造は、一方の開閉蓋２１１Ａ側の構造と同様であるので、詳しい説明は省略する。
【００７３】
包装箱２００が組み立てられる際、それぞれ折り曲げ線ＢＬで内側に折り曲げられ、のりしろ２１６が右側壁板部材２１５の内側面に一例として接着剤で接着され、箱体２１０のかまぼこ型（八面体）の側面が形成される。
その他は、上述した第１実施例と同様であるので、詳しい説明は省略する。
【００７４】
このようにして得られた本発明の第２実施例である包装箱２００は、開閉蓋２１１Ａでの右サイドフラップ２４０Ａと対向する右側フラップ対向縁部２１１Ａｂから先端縁部２１１Ａｃまで延設した切り取り誘導線２１１Ａｄに沿って切り取り自在な開閉蓋２１１Ａの一部が、切り取り誘導線２１１Ａｄに沿って人手に切り取られながら把持されて開閉蓋２１１Ａに対して起立してスリットロック型係止構造ＬＫによる係止を解除自在なスリットロック解除把持片２１１Ａｅを形成していることにより、商品で箱体２１０内が隙間なく充填されている場合であっても差込み片２２０Ａにおける左右方向でスリットロック解除把持片２１１Ａｅが形成された側の右側スリットＳＬ２における差込み片２２０Ａと右サイドフラップ２４０Ａとの係止であるスリットロック型係止構造ＬＫによる係止を簡便に解除することができるなど、その効果は甚大である。
【実施例３】
【００７５】
続いて、本発明の第３実施例である包装箱３００について、図１２および図１３に基づいて説明する。
ここで、図１２は、本発明の第３実施例である包装箱３００の概略を示す斜視図であり、図１３は、本発明の第３実施例である包装箱３００の展開図である。
【００７６】
第３実施例の包装箱３００は、第２実施例の包装箱１００の多面体の一部の面を曲面に変更したものであり、多くの要素について第２実施例の包装箱１００と共通するので、共通する事項については詳しい説明を省略し、下２桁が共通する３００番台の符号を付すのみとする。
【００７７】
本発明の第３実施例である包装箱３００は、図１２および図１３に示すように、厚みのあるコートボール紙製であり、２つの開閉蓋３１１Ａ、３１１Ｂ、２つの曲面を有して商品（図示せず）を収容する多面体の一例である所謂、かまぼこ型（二曲面＋六面体）の箱体３１０と、サイドフラップとしての左サイドフラップ３３０Ａ、３３０Ｂおよび右サイドフラップ３４０Ａ、３４０Ｂと、開閉蓋３１１Ａ、３１１Ｂをそれぞれ保持する差込み片３２０Ａ、３２０Ｂとを備えている。
本実施例では、包装箱３００の向きについて、説明の便宜上、一方の開閉蓋３１１Ａを上方とし、この開閉蓋３１１Ａの自由端である先端縁部３１１Ａｃが前側、基端部３１１Ａａが後側として説明する。
なお、他方の開閉蓋３１１Ｂ側の構造は、一方の開閉蓋３１１Ａ側の構造と同様であるので、詳しい説明は省略する。
【００７８】
包装箱３００が組み立てられる際、後方左側曲面３１７および後方右側曲面３１８が、曲面状に曲げられ、その他の箇所が、それぞれ折り曲げ線ＢＬで内側に折り曲げられ、のりしろ３１６が右側壁板部材３１５の内側面に一例として接着剤で接着され、箱体３１０のかまぼこ型（二曲面＋六面体）の側面が形成される。
その他は、上述した第２実施例と同様であるので、詳しい説明は省略する。
【００７９】
このようにして得られた本発明の第３実施例である包装箱３００は、開閉蓋３１１Ａでの右サイドフラップ３４０Ａと対向する右側フラップ対向縁部３１１Ａｂから先端縁部３１１Ａｃまで延設した切り取り誘導線３１１Ａｄに沿って切り取り自在な開閉蓋３１１Ａの一部が、切り取り誘導線３１１Ａｄに沿って人手に切り取られながら把持されて開閉蓋３１１Ａに対して起立してスリットロック型係止構造ＬＫによる係止を解除自在なスリットロック解除把持片３１１Ａｅを形成していることにより、商品で箱体３１０内が隙間なく充填されている場合であっても差込み片３２０Ａにおける左右方向でスリットロック解除把持片３１１Ａｅが形成された側の右側スリットＳＬ２における差込み片３２０Ａと右サイドフラップ３４０Ａとの係止であるスリットロック型係止構造ＬＫによる係止を簡便に解除することができるなど、その効果は甚大である。
つまり、包装箱３００の箱体３１０が、後方左側曲面３１７および後方右側曲面３１８などの曲面を有する多面体であっても、上述した第２実施例などと同様の効果を得ることができる。
【実施例４】
【００８０】
続いて、本発明の第４実施例である包装箱４００について、図１４および図１５に基づいて説明する。
ここで、図１４は、本発明の第４実施例である包装箱４００の概略を示す斜視図であり、図１５は、本発明の第４実施例である包装箱４００の展開図である。
【００８１】
第４実施例の包装箱４００は、第１実施例の包装箱１００の多面体の面の数および形状を変更して開閉蓋１１１の数も変更したものであり、多くの要素について第１実施例の包装箱１００と共通するので、共通する事項については詳しい説明を省略し、下２桁が共通する４００番台の符号を付すのみとする。
【００８２】
本発明の第４実施例である包装箱４００は、図１４および図１５に示すように、厚みのあるコートボール紙製であり、２つの開閉蓋４１１Ａ、４１１Ｂを有して商品（図示せず）を収容する多面体の一例である所謂、斜方立方八面体（二十六面体）の箱体４１０と、サイドフラップとしての左サイドフラップ４３０Ａ、４３０Ｂおよび右サイドフラップ４４０Ａ、４４０Ｂと、開閉蓋４１１Ａ、４１１Ｂをそれぞれ保持する差込み片４２０Ａ、４２０Ｂとを備えている。
本実施例の説明では、包装箱４００の向きについて、説明の便宜上、一方の開閉蓋４１１Ａを上方とし、この開閉蓋４１１Ａの自由端である先端縁部４１１Ａｃが前側、基端部４１１Ａａが後側として説明する。
なお、他方の開閉蓋４１１Ｂ側の構造は、一方の開閉蓋４１１Ａ側の構造と同様であるので、詳しい説明は省略する。
【００８３】
包装箱４００が組み立てられる際、それぞれ折り曲げ線ＢＬで内側に折り曲げられ、三角形状の面に隣接する三角形のりしろ４１６Ａが、それぞれ三角形のりしろ４１６Ａに隣接する四角形状板部材４１２の内側面に一例として接着剤で接着され、四角形のりしろ４１６Ｂが、後右側側板部材４１９の内側面に一例として接着剤で接着される。
そして、左サイドフラップ４３０Ａおよび右サイドフラップ４４０Ａがそれぞれ内側に折り曲げられ、開閉蓋４１１Ａの差込み片４２０Ａが箱体４１０内に差し込まれ、箱体４１０の斜方立方八面体（二十六面体）が形成される。
【００８４】
なお、本実施例では、差込み片４２０Ａが、開閉蓋４１１Ａに対して約４５度の角度（鈍角）で折り曲げられ、開閉蓋４１１Ａに対して約４５度の角度（鈍角）の姿勢で配設された前壁板部材４１４の内側面に沿って箱体４１０内に差し込まれている。
開閉蓋４１１Ａと前壁板部材４１４との成す角度が鈍角であると、人の手の特に指先を差込み片４２０Ａと前壁板部材４１４との間に入れようとしても、前壁板部材４１４に対してその間を広げる方向へ力が作用しないため、その間に指先が入りにくい。
したがって、開閉蓋４１１Ａと前壁板部材４１４との成す角度が鈍角であるとき、箱体４１０内が隙間なく充填されていなくても、スリットロック解除把持片４１１Ａｅを有する構成は有効である。
【００８５】
このようにして得られた本発明の第４実施例である包装箱４００は、開閉蓋４１１Ａでの左サイドフラップ４３０Ａと対向する左側フラップ対向縁部４１１Ａｂから先端縁部４１１Ａｃまで延設した切り取り誘導線４１１Ａｄに沿って切り取り自在な開閉蓋４１１Ａの一部が、切り取り誘導線４１１Ａｄに沿って人手に切り取られながら把持されて開閉蓋４１１Ａに対して起立してスリットロック型係止構造ＬＫによる係止を解除自在なスリットロック解除把持片４１１Ａｅを形成していることにより、商品で箱体４１０内が隙間なく充填されている場合であっても差込み片４２０Ａにおける左右方向でスリットロック解除把持片４１１Ａｅが形成された側の左側スリットＳＬ１における差込み片４２０Ａと左サイドフラップ４３０Ａとの係止であるスリットロック型係止構造ＬＫによる係止を簡便に解除することができるなど、その効果は甚大である。
【符号の説明】
【００８６】
１００、  ２００、    ３００、    ４００    ・・・包装箱
１１０、  ２１０、    ３１０、    ４１０    ・・・箱体
１１１、  ２１１Ａ、  ３１１Ａ、  ４１１Ａ  ・・・開閉蓋
２１１Ｂ、  ３１１Ｂ、  ４１１Ｂ  ・・・（他方の）開閉蓋
１１１ａ、２１１Ａａ、３１１Ａａ、４１１Ａａ・・・基端部
２１１Ｂａ、３１１Ｂａ、４１１Ｂａ・・・（他方の）基端部
１１１ｂ、２１１Ａｂ、３１１Ａｂ            ・・・右側フラップ対向縁部
４１１Ａｂ・・・左側フラップ対向縁部
２１１Ｂｂ、３１１Ｂｂ、４１１Ｂｂ・・・（他方の）フラップ対向縁部
１１１ｃ、２１１Ａｃ、３１１Ａｃ、４１１Ａｃ・・・先端縁部
２１１Ｂｃ、３１１Ｂｃ、４１１Ｂｃ・・・（他方の）先端縁部
１１１ｄ、２１１Ａｄ、３１１Ａｄ、４１１Ａｄ・・・切り取り誘導線
２１１Ｂｄ、３１１Ｂｄ、４１１Ｂｄ・・・（他方の）切り取り誘導線
１１１ｅ、２１１Ａｅ、３１１Ａｅ、４１１Ａｅ・・・スリットロック解除把持片
２１１Ｂｅ、３１１Ｂｅ、４１１Ｂｅ・・・（他方の）スリットロック解除把持片
１１１ｆ、２１１Ａｆ、３１１Ａｆ、４１１Ａｆ・・・ロック解除突片
２１１Ｂｆ、３１１Ｂｆ、４１１Ｂｆ・・・（他方の）ロック解除突片
１１２                                      ・・・後壁板部材
４１２    ・・・四角形状板部材
１１３                                      ・・・左側壁板部材（蓋側方部材）
１１４、                          ４１４    ・・・前壁板部材
１１５、  ２１５、    ３１５                ・・・右側壁板部材（蓋側方部材）
１１６                                      ・・・右サイド後のりしろ
２１６、    ３１６                ・・・のりしろ
４１６Ａ  ・・・三角形のりしろ
４１６Ｂ  ・・・四角形のりしろ
３１７                ・・・後方左側曲面
３１８                ・・・後方右側曲面
４１９    ・・・後右側側板部材
１２０、  ２２０Ａ、  ３２０Ａ、  ４２０Ａ  ・・・差込み片
２２０Ｂ、  ３２０Ｂ、  ４２０Ｂ  ・・・（他方の）差込み片
１３０、  ２３０Ａ、  ３３０Ａ、  ４３０Ａ  ・・・左サイドフラップ
２３０Ｂ、  ３３０Ｂ、  ４３０Ｂ  ・・・（他方の）左サイドフラップ
１３１                                      ・・・左スリット係止片
１４０、  ２４０Ａ、  ３４０Ａ、  ４４０Ａ  ・・・右サイドフラップ
２４０Ｂ、  ３４０Ｂ、  ４４０Ｂ  ・・・（他方の）右サイドフラップ
１４１                                      ・・・右スリット係止片
１４２                                      ・・・仮留めのり部
ＢＬ  ・・・折り曲げ線
ＢＬ１・・・開閉基端部折罫線（折り曲げ線）
ＢＬ２・・・開閉先端縁部折罫線（折り曲げ線）
ＢＬ３・・・左側壁上端部折罫線（折り曲げ線）
ＢＬ４・・・右側壁上端部折罫線（折り曲げ線）
ＢＬ５・・・後壁左端部折罫線（折り曲げ線）
ＢＬ６・・・左側壁前端部折罫線（折り曲げ線）
ＢＬ７・・・前壁右端部折罫線（折り曲げ線）
ＢＬ８・・・右側壁後端部折罫線（折り曲げ線）
ＣＰ  ・・・（先端縁部とフラップ対向縁部との）交差点
ＣＴ１・・・左側Ｌ字型切り込み
ＣＴ２・・・右側Ｌ字型切り込み
ｄ１  ・・・サイドフラップの厚み
ＥＥ  ・・・商品出し入れ口
ＬＫ  ・・・スリットロック型係止構造
ＳＬ１・・・左側スリット
ＳＬ２・・・右側スリット
【図１】
0006311984.tif 000002
【図２】
0006311984.tif 000003
【図３】
0006311984.tif 000004
【図４】
0006311984.tif 000005
【図５】
0006311984.tif 000006
【図６】
0006311984.tif 000007
【図７】
0006311984.tif 000008
【図８】
0006311984.tif 000009
【図９】
0006311984.tif 000010
【図１０】
0006311984.tif 000011
【図１１】
0006311984.tif 000012
【図１２】
0006311984.tif 000013
【図１３】
0006311984.tif 000014
【図１４】
0006311984.tif 000015
【図１５】
0006311984.tif 000016